(57)【要約】【課題】吊り架台に積載したユニットルームの横揺れを効果的に抑制する。【解決手段】建物躯体の両側に相対向して配設された基礎２上に載設した土台１の間に吊り架台Ａを架設し、この吊り架台Ａ上にユニットルームＢを積載してなるユニットルームの支持構造である。基礎２の間にユニットルームＢを積載する吊り架台Ａの支持台４を略水平に配する。支持台４の両側端から吊り片５を上方に延出する。吊り片５の上端部から水平に固定片７を連出する。固定片７を土台１にビス、くぎ等の固着具９にて固定する。基礎２の対向面２ａに隙間Ｓ２を隔てて対向位置する各吊り片５に雌ネジ孔１０を設ける。これら雌ネジ孔１０にそれぞれボルト３を基礎２の対向面２ａに向けて突出させるように螺進する。各ボルト３の突出先端面を基礎２の各対向面２ａにそれぞれ押圧して基礎２間に吊り架台Ａを突っ張らせる。【選択図】図１
2008031664.tif 000002
【特許請求の範囲】
【請求項１】
建物躯体の両側に相対向して配設された基礎上に載設した土台の間に吊り架台を架設し、この吊り架台上にユニットルームを積載してなるユニットルームの支持構造であって、基礎の間にユニットルームを積載する吊り架台の支持台を略水平に配し、支持台の両側端から吊り片を上方に延出し、吊り片の上端部から水平に固定片を連出し、固定片を土台にビス、くぎ等の固着具にて固定し、基礎の対向面に隙間を隔てて対向位置する各吊り片に雌ネジ孔を設けると共に、これら雌ネジ孔にそれぞれボルトを基礎の対向面に向けて突出させるように螺進し、各ボルトの突出先端面を基礎の各対向面にそれぞれ押圧して基礎間に吊り架台を突っ張らせて成ることを特徴とするユニットルームの支持構造。
【請求項２】
上記押圧されるボルトの突出先端面と基礎の対向面との間に緩衝材を介在させて成ることを特徴とする請求項１記載のユニットルームの支持構造。
【発明の詳細な説明】
【技術分野】
【０００１】
本発明は、土台間に架設した支持架台にユニットルームを積載するユニットルームの支持構造に関するものである。
【背景技術】
【０００２】
従来から、バス、トイレ等のユニットルームＢを建物に設置する際には、図２のように、建物躯体の基礎２上に載設した両側に相対向する土台１の間に架設した吊り架台Ａ上にユニットルームＢを積載することで行われている。詳しくは、この吊り架台Ａは、ユニットルームＢを積載するための水平な長尺材であって相対向する基礎２の間に配される支持台４、この支持台４の両端から略鉛直上方に延出した吊り片５、吊り片５の上端から水平且つ外方に延出して土台１の上面に固定するための固定片７で構成されている（たとえば特許文献１参照）。
【０００３】
ところで、土台１や基礎２は現場施工でその配設形状がまちまちであるから、土台１間に吊り架台Ａを架設した際には対向する土台１や基礎２と吊り片５との間にはしばしば隙間Ｓ１，Ｓ２ができるのであって、支持台４ひいてはユニットルームＢが矢印Ｅに示すように横揺れすると共に、ユニットルームＢが横揺れした際には吊り片５が土台１や基礎２にぶつかって衝突音などを発生させてしまう問題があった。
【０００４】
しかして過去、本出願人は上記問題を解決するべく、図３のように、吊り架台Ａを土台１の間に架設したときにできる吊り片５と土台１との隙間Ｓ１に、木桟で構成されるスペーサ材１２を楔状に嵌め込み、吊り片５の内側面からビスや釘等の固定具１３を打ち込んでスペーサ材１２を貫通させて土台１に打入することで、吊り片５の剛性を高めてユニットルームＢの横揺れの抑制を図ったものである（たとえば特許文献２参照）。
【０００５】
しかしながら、吊り片５と基礎２との間には依然として隙間Ｓ２が存在し、ユニットルームＢが横揺れする恐れは十分には解消されていない。つまり、ユニットルームＢが横揺れするのは、吊り片５が上端の固定側端部を軸にして下端の揺動側端部を左右に揺動させることで発生されるのであり、この吊り片５の揺動側端部と基礎２との間に隙間Ｓ２が存在する以上、ユニットルームＢが横揺れする恐れは解消できないのである。
【０００６】
ところで、基礎２は、現場施工で組み上げられる型枠にコンクリートを流し込んで形成されるものであり、寸法位置決めを行って配設される土台１に比べても、厚み寸法などその形状、また相対向する基礎２の対向面２ａの表面仕上げ精度やその位置精度等が、施工現場毎できわめてまちまちになる。つまり、吊り片５と基礎２との間の隙間Ｓ２はその隙間幅寸法が施工現場毎できわめてまちまちであるために、上記吊り片５と基礎２との隙間Ｓ２にある程度の汎用性を確保して隙間Ｓ１を埋めるようなスペーサ材１２を嵌め込ませることも困難であり、そもそも基礎２はコンクリート製であるから固着具１３の打入もできない。したがって、吊り片５と基礎２との間の隙間Ｓ２には、隙間Ｓ１を埋めるようなスペーサ材１２を用いて吊り片５の剛性を高める構造を、そのまま転用することはできないものであり、つまり、ユニットルームＢの横揺れを効果的に抑制することはできていないのが現状である。
【特許文献１】登録実用新案第３０１５１２５号公報
【特許文献２】特許第３４８２９２１号公報
【発明の開示】
【発明が解決しようとする課題】
【０００７】
本発明は上記の従来の問題点に鑑みて為したものであって、吊り架台に積載したユニットルームの横揺れを効果的に抑制できるユニットルームの支持構造を提供することを課題とするものである。
【課題を解決するための手段】
【０００８】
上記課題を解決するために本発明の請求項１に係るユニットルームの支持構造は、建物躯体の両側に相対向して配設された基礎２上に載設した土台１の間に吊り架台Ａを架設し、この吊り架台Ａ上にユニットルームＢを積載してなるユニットルームの支持構造であって、基礎２の間にユニットルームＢを積載する吊り架台Ａの支持台４を略水平に配し、支持台４の両側端から吊り片５を上方に延出し、吊り片５の上端部から水平に固定片７を連出し、固定片７を土台１にビス、くぎ等の固着具９にて固定し、基礎２の対向面２ａに隙間Ｓ２を隔てて対向位置する各吊り片５に雌ネジ孔１０を設けると共に、これら雌ネジ孔１０にそれぞれボルト３を基礎２の対向面２ａに向けて突出させるように螺進し、各ボルト３の突出先端面を基礎２の各対向面２ａにそれぞれ押圧して基礎２間に吊り架台Ａを突っ張らせて成ることを特徴とする。
【０００９】
これによると、吊り架台Ａの各吊り片５は、その上部では固定片７を介して土台１に固定され、その下部ではボルト３が基礎２の各対向面２ａに押圧されて支持台４が基礎２間に突っ張るようにされるので、つまり吊り片５はその上部及び下部が土台１や基礎２に対して略固定された状態となるので、吊り架台Ａを略不動の状態にできたものであり、したがって、吊り架台Ａ、ひいてはユニットルームＢの横揺れを効果的に抑制することができたものである。なお、基礎２は特に施工現場毎でその形状や寸法が異なるものであって、吊り片５と基礎２との間の隙間Ｓ２の隙間幅は施工現場毎に大きく異なるものであるが、ボルト３は吊り片５の雌ネジ孔１０に螺合されているから、雌ネジ孔１０に螺進させることでボルト３の吊り片５から基礎２の対向面２ａへの突出寸法を自在にでき、つまり、施工現場毎に大きく異なる吊り片５と基礎２との間の隙間Ｓ２の隙間幅にも対応してボルト３の突出先端面を確実に基礎２の対向面２ａに押圧させることができ、施工現場への良好な汎用性も備えるものである。
【００１０】
また、請求項２記載のユニットルームの支持構造は、請求項１において、上記押圧されるボルト３の突出先端面と基礎２の対向面２ａとの間に緩衝材１１を介在させて成ることを特徴とする。これによると、緩衝材１１によって吊り架台Ａに横揺れを引き起こすような横荷重を緩衝、減衰させることが可能であり、吊り架台Ａ、ひいてはユニットルームＢの横揺れを更に効果的に抑制することができたものである。
【発明の効果】
【００１１】
本発明は、吊り架台、ひいてはユニットルームの横揺れを効果的に抑制することができる、といった利点を有する。
【発明を実施するための最良の形態】
【００１２】
以下、本発明を添付図面に示す実施形態に基いて説明する。
【００１３】
図１に本発明の実施の形態の例を示す。ユニットルームＢ（図では浴室床パン）を支持して建物の土台１に設置する吊り架台Ａは、主に支持台４、吊り片５及び固定片７で構成されるものである。支持台４は厚みのある棒体または中空体の形状を有する長尺材である。吊り片５は、支持台４の長さ方向の両端から垂直上方に延出された下部縦片部８、下部縦片部８の上端から延出した傾斜部６、更に傾斜部６の上端から垂直上方に延出した上部縦片部８ｂから構成されるものである。ここで、傾斜部６は上方に行くほど外側に向かう形状を有しているものであり、また、上部縦片部８ｂの上端からは固定片７が一体に折屈してある。
【００１４】
ここで、固定片７は上述したように上部縦片部８ｂの上端から水平且つ外方に連出し、ビス、くぎ等の固定具９を打入して土台１に固定するものである。上記のように吊り片５と固定片７は一枚板状の金属板を折屈して形成してある。また、吊り片５の下部を構成する下部縦片部８ａは吊り架台Ａを土台１に架設した際には基礎２の対向面２ａに間隔を隔てて対向して位置するのであるが、各下部縦片部８ａにはそれぞれ雌ネジ孔１０を設けると共に、これら雌ネジ孔１０にはそれぞれボルト３を基礎２の対向面２ａに向けてその軸部３ａが突出するようにして螺合させている。詳しくは、本例の雌ネジ孔１０は、下部縦片部８ａに貫通孔１０ａを穿設すると共に、下部縦片部８ａの外側面（基礎２と対向する面）に貫通孔１０ａと同軸上に隣接してナット１０ｂを溶着させることで、形成されている。また、上記ボルト３の軸部３ａの先端面にはゴムキャップで構成された緩衝材１１が被着されている。
【００１５】
上記のように構成される吊り架台Ａを介して、ユニットルームＢは下記のように建物の土台１に取り付けられる。つまり、相対向する土台１の間の空間に支持台４を略水平に配し、吊り片５を介して支持台４と接合した固定片７からビス、くぎ等の固着具９を打入して土台１に固定することで、相対向する土台１の間に吊り架台Ａを架設する。ここで、建物の土台１及び基礎２は、基礎２が両側に間隔を隔てて相対向するように設けられるものであり、土台１が基礎２の上面に戴設される。建物の基礎２及び土台１の形状または寸法は、一般に施工現場によりまちまちであるが、本例の吊り片５には傾斜部６が設けられているために、土台１や基礎２への吊り片５の接触を避けることができ、吊り架台Ａに現場施工への汎用性を持たすことが可能にされている。
【００１６】
また、吊り架台Ａの各吊り片５の雌ネジ孔１０に螺合したボルト３を、その軸部３ａを基礎２の対向面２ａに向けて突出させていくように雌ネジ孔１０に対して螺進させていき、各ボルト３の軸部３ａの突出端面を基礎２の対向面２ａに押圧させることで、吊り架台Ａを相対向する基礎２の間に突っ張らせる。ここで、建物の基礎２は位置決め配置される土台１に比べても施工現場毎にその形状等がまちまちであり、つまり、吊り片５と基礎２との隙間Ｓ２の隙間幅は施工現場毎に大きく異なる。しかしながら、上記ボルト３は吊り片５から基礎２の対向面２ａに向く突出寸法を自在にして吊り片５に取付けられているから、上記施工現場毎に大きく異なる吊り片５と基礎２との隙間Ｓ２の隙間幅にも対応して、ボルト３の軸部３ａの先端端面が基礎２の対向面２ａに確実に押圧可能になっている。つまりこの点においても吊り架台Ａは現場施工への汎用性を有している。
【００１７】
上記のように土台１の間に吊り架台Ａを架設した構造にあっては、吊り片５の上部では延出した固定片７が土台１に固定されると共に、吊り片５の下部ではボルト３を介して基礎２間に吊り架台Ａの支持台４を突っ張らせており、つまり、吊り片５が上部と下部とで土台１や基礎２に対して略固定された状態となるので、吊り架台Ａを略不動の状態にでき、吊り架台Ａ、ひいてはユニットルームＢの横揺れを効果的に抑制することができたものである。更に言うと、押圧状態にされるボルト３の突出先端と基礎２の対向面２ａとの間には緩衝材１１が介在される。この緩衝材１１によると、吊り架台Ａに横揺れを引き起こすような横荷重を緩衝、減衰させることが可能であり、吊り架台Ａ、ひいてはユニットルームＢの横揺れを更に効果的に抑制することができたものである。
【００１８】
なお、吊り片５に傾斜部６を設けたことは、上記のように吊り架台Ａに現場施工への汎用性を備える利点を有するものの、吊り片５と基礎２や土台１との間にできる隙間Ｓ１，Ｓ２の隙間幅を広げたり、支持台４の長さが短くなってユニットルームＢの積載スペースが狭くなる欠点を招いてしまうものであるが、本例では、吊り片５全てを傾斜部６とせずに、吊り片５には適宜に縦片部８（下部縦片部８ａ，上部縦片部８ｂ）を設けているから、上記吊り片５と基礎２や土台１との間にできる隙間Ｓ１，Ｓ２の隙間幅の拡大化や支持台４におけるユニットルームＢの積載スペースの狭小化を、極力回避できるようにしてある。
【００１９】
また、本例では、土台１間に吊り架台Ａを架設した際にできる吊り片５の傾斜部６と土台１との間の隙間Ｓ１には断面三角柱状の木桟で形成されるスペーサ材１２が嵌めこまれて固定されている。詳しくは、スペーサ材１２は上記隙間Ｓ１に傾斜部６の外側面（下面）及び土台１に接するように位置され、傾斜部６の内側面(上面)からくぎやビス等の固定具１３を打入することで、上記スペーサ材１２を介して吊り片５と土台１が固定されている。固定具１３はスペーサ材１２を貫通して土台１に至っている。このように吊り片５と土台１とスペーサ材１２とが一体にされたことで吊り片５の剛性が高められ、ユニットルームＢの左右方向への揺動の更なる抑制が図られている。また、上記スペーサ材１２によると、ボルト３の突出先端に加えて吊り片５の土台１や基礎２への側方からの接地面積を広くできたもので、地震等により過大な横荷重が吊り架台Ａに作用した際にもこの横荷重を土台１や基礎２の全体で良好に支持できる利点も有するのである。更に言うと、通常、建物の基礎２及び土台１は施工現場ごとにその配設形状等が異なるものであるために、上記のスペーサ材１２は施工現場で木桟で作られるものであるが、吊り架台Ａは工場にて製造されるものであるので、あらかじめ傾斜部６と土台１が成す角度がわかるものである。そこで上記角度を有する木桟を事前に用意しておけば、施工現場において木桟の長さを調節するだけで済むため、良好な施工効率が確保されている。
【００２０】
上述のように、ユニットルームＢは土台１間に架設した吊り架台Ａの支持台４の上面に積載することで相対向する土台１の間の空間上部に配置されるものであるが、ユニットルームＢは複数の吊り架台Ａで支持されるものであり、このとき吊り架台ＡはユニットルームＢの荷重が多くかかると予期されるところには間隔を狭くして設置し、荷重が比較的かからないところには間隔を広くして設置することで、良好な荷重バランスを確保した上でユニットルームＢを建物躯体に支持できるのである。
【図面の簡単な説明】
【００２１】
【図１】本発明の実施の形態の例のユニットルームの支持構造であり、（ａ）は全体側断面図であり、（ｂ）は（ａ）のＣ部の拡大図である。
【図２】従来技術の例のユニットルームの支持構造であり、（ａ）は分解斜視図であり、（ｂ）は要部の分解斜視図である。
【図３】従来技術の他例のユニットルームの支持構造であり、（ａ）は全体側断面図であり、（ｂ）は（ａ）のＤ部分の拡大図である。
【符号の説明】
【００２２】
Ａ  吊り架台
Ｂ  ユニットルーム
１  土台
２  基礎
２ａ  対向面
３  ボルト
４  支持台
５  吊り片
７  固定片
９  固着具
１０  雌ネジ孔
１１  緩衝材
Ｓ２  隙間
【図１】
2008031664.tif 000003
【図２】
2008031664.tif 000004
【図３】
2008031664.tif 000005